(57)【要約】【課題】本発明は、患部近傍に操作者の作業スペースを確保しつつ、患部のみを所定の照度で照明することが可能な医療用照明装置を提供することを目的とする。【解決手段】本発明に係る解決手段の１つは、患部に光を照射する医療用照明装置であって、光源部（発光素子６）と、光源部から照射された光を集光する集光部（コリメートレンズ７及び集光レンズ８）と、集光部で集光された光を患部で結像させる結像部（結像レンズ４）と、集光部と結像部との間に設けられ、集光部で集光された光の通過を制限するアパーチャ９とを備える。【選択図】図２
2008228770.tif 000002
【特許請求の範囲】
【請求項１】
患部に光を照射する医療用照明装置であって、
光源部と、
前記光源部から照射された光を集光する集光部と、
前記集光部で集光された光を前記患部で結像させる結像部と、
前記集光部と前記結像部との間に設けられ、前記集光部で集光された光の通過を制限するアパーチャとを備える医療用照明装置。
【請求項２】
請求項１に記載の医療用照明装置であって、
可動自在な可動アームと、
前記光源部、前記集光部、前記結像部、及び前記アパーチャを、前記可動アーム先端に固定する枠体とをさらに備えた医療用照明装置。
【請求項３】
請求項１又は請求項２に記載の医療用照明装置であって、
前記光源部は、発光素子として、発光ダイオード、ハロゲン球、クリプトン球及び半導体レーザのうちいずれか１つを備えることを特徴とする医療用照明装置。
【請求項４】
請求項１又は請求項２に記載の医療用照明装置であって、
前記光源部は、複数の発光素子を備え、
前記集光部は、
前記発光素子のそれぞれの発光面に設けられたコリメートレンズと、
前記コリメートレンズからのそれぞれの光を集光する集光レンズとを備えることを特徴とする医療用照明装置。
【請求項５】
請求項４に記載の医療用照明装置であって、
前記発光素子は発光ダイオードである、医療用照明装置。
【請求項６】
請求項１又は請求項２に記載の医療用照明装置であって、
前記集光手段は、
前記光源部の照射方向に開口部を有し、内部に配置した前記光源部からの光を反射して前記開口部から出射する反射筐体と、
前記開口部に配置され、前記開口部より出射された光を集光する集光レンズとを備えることを特徴とする医療用照明装置。
【請求項７】
請求項６に記載の医療用照明装置であって、
前記反射筐体は、半楕円球と前記半楕円球の開口に連続して設けられる円筒とで構成され、前記半楕円球の略焦点に前記光源を配置することを特徴とする医療用照明装置。
【請求項８】
請求項１乃至請求項７のいずれかに記載の医療用照明装置であって、
前記アパーチャは、前記集光部のビームウエスト近傍に配置されていることを特徴とする医療用照明装置。
【請求項９】
請求項１乃至請求項８のいずれかに記載の医療用照明装置であって、
前記アパーチャは、略矩形状であることを特徴とする医療用照明装置。
【発明の詳細な説明】
【技術分野】
【０００１】
本発明は、医療用照明装置に係る発明であって、特に、患部を照明する医療用照明装置に関するものである。
【背景技術】
【０００２】
患部を治療する際に、当該患部を所定の照度で照明する医療用照明装置が必要とされる。特に、歯科用の医療用照明装置では、歯科用診療台の周辺側部に設置され、上下或いは水平旋回可能なハンガーアームの先端に取り付けられ、歯科用診療台上の患者の口腔内を明るく照らすために、操作者によってその移動・点灯操作がなされる。従来の医療用照明装置では、光源としてハロゲンランプを用い、鏡面板で反射された光を患部に照射する構成であった。最近では、特許文献１のように、光源としてＬＥＤ（Light Emitting Diode）を用いた医療用照明装置も開発されている。
【０００３】
また、特許文献２は、歯科診療台の側部に設置され、歯科診療台上の患者の口腔内を照射するための照射手段を備えた歯科用照射装置である。特許文献２の歯科用照射装置では、照射手段が、口腔内の非健全部より蛍光を放射させる励起光を照射する機能も有している。
【０００４】
【特許文献１】実用新案登録第３０８４１７８号公報
【特許文献２】特開２００６−２８８４５７号公報
【発明の開示】
【発明が解決しようとする課題】
【０００５】
しかし、光源にハロゲンランプを用いて、鏡面板で反射させる従来の医療用照明装置では、患部のみを所定の照度で照明することは困難であった。つまり、従来の医療用照明装置では、光源からの光を鏡面板で反射させて患部を照射する原理上、ハロゲンランプから全方位に発する光の一部しか反射させることができず、非常に照射効率が悪いため、輝度の高いハロゲンランプを使用する必要があった。
【０００６】
一方、特許文献１に係る医療用照明装置でも、単にハロゲンランプの置き換えとしてＬＥＤを使用する場合、患部において所定の照度を得るには、複数のＬＥＤを高密度に且つ小さく集積して高輝度化を図る必要がありコスト的にも技術的にも困難な面があった。また、特許文献２に係る医療用照明装置は、患部を照明する点に置いては従来の医療用照明装置と同じであるため、患部のみを所定の照度で照明することは困難であった。
【０００７】
そこで、本発明は、患部近傍に操作者の作業スペースを確保しつつ、患部のみを所定の照度で照明することが可能な医療用照明装置を提供することを目的とする。
【課題を解決するための手段】
【０００８】
本発明の請求項１に係る解決手段は、患部に光を照射する医療用照明装置であって、光源部と、前記光源部から照射された光を集光する集光部と、前記集光部で集光された光を前記患部で結像させる結像部と、前記集光部と前記結像部との間に設けられ、前記集光部で集光された光の通過を制限するアパーチャとを備える。
【０００９】
本発明の請求項２に係る解決手段は、請求項１に記載の医療用照明装置であって、可動自在な可動アームと、前記光源部、前記集光部、前記結像部、及び前記アパーチャを、前記可動アーム先端に固定する枠体とをさらに備えた。
【００１０】
本発明の請求項３に係る解決手段は、請求項１又は請求項２に記載の医療用照明装置であって、前記光源部は、発光素子として、発光ダイオード、ハロゲン球、クリプトン球及び半導体レーザのうちいずれか１つを備える。
【００１１】
本発明の請求項４に係る解決手段は、請求項１又は請求項２に記載の医療用照明装置であって、前記光源部は、複数の発光素子を備え、前記集光部は、前記発光素子のそれぞれの発光面に設けられたコリメートレンズと、前記コリメートレンズからのそれぞれの光を集光する集光レンズとを備える。
【００１２】
本発明の請求項５に係る解決手段は、請求項４に記載の医療用照明装置であって、前記発光素子は発光ダイオードである。
【００１３】
本発明の請求項６に係る解決手段は、請求項１又は請求項２に記載の医療用照明装置であって、前記集光手段は、前記光源部の照射方向に開口部を有し、内部に配置した前記光源部からの光を反射して前記開口部から出射する反射筐体と、前記開口部に配置され、前記開口部より出射された光を集光する集光レンズとを備える。
【００１４】
本発明の請求項７に係る解決手段は、請求項６に記載の医療用照明装置であって、前記反射筐体は、半楕円球と前記半楕円球の開口に連続して設けられる円筒とで構成され、前記半楕円球の略焦点に前記光源を配置する。
【００１５】
本発明の請求項８に係る解決手段は、請求項１乃至請求項７のいずれかに記載の医療用照明装置であって、前記アパーチャは、前記集光部のビームウエスト近傍に配置されている。
【００１６】
本発明の請求項９に係る解決手段は、請求項１乃至請求項８のいずれかに記載の医療用照明装置であって、前記アパーチャは、略矩形状である。
【発明の効果】
【００１７】
本発明の請求項１に記載の医療用照明装置は、光源部と、光源部から照射された光を集光する集光部と、集光部で集光された光を患部で結像させる結像部と、集光部と結像部との間に設けられ、集光部で集光された光の通過を制限するアパーチャとを備えるので、医療行為等を行うためにスペースを確保しつつ、患部のみを所定の照度で照明することができる。
【００１８】
本発明の請求項２に記載の医療用照明装置は、可動自在な可動アームと、光源部、集光部、結像部、及びアパーチャを、可動アーム先端に固定する枠体とをさらに備えるので、光源部、集光部、及びアパーチャを可動に支持することができ、医療用照明装置を適宜移動させ、所望の照射部位に効率よく照明光を照射することができる。
【００１９】
本発明の請求項３に記載の医療用照明装置は、光源部が、発光素子として、発光ダイオード、ハロゲン球、クリプトン球及び半導体レーザのうちいずれか１つを備えるので、光源部に種々の発光体素子を利用することができる。
【００２０】
本発明の請求項４に記載の医療用照明装置は、光源部は、複数の発光素子を備え、集光部は、発光素子のそれぞれの発光面に設けられたコリメートレンズと、コリメートレンズからのそれぞれの光を集光する集光レンズとを備えるので、発光素子の数を抑えつつ、患部のみを所定の照度で照明することができ、コストを低減できる。
【００２１】
本発明の請求項５に記載の医療用照明装置は、発光素子が発光ダイオードであるので、消費電力及び発熱量を少なくできる。
【００２２】
本発明の請求項６に記載の医療用照明装置は、集光手段が、光源部の照射方向に開口部を有し、内部に配置した光源部からの光を反射して開口部から出射する反射筐体と、開口部に配置され、開口部より出射された光を集光する集光レンズとを備えるので、光源部からの光を集光手段によって効率よく集めることができ、より少ない数の発光素子で所定の照度を得ることができる。
【００２３】
本発明の請求項７に記載の医療用照明装置は、反射筐体が、半楕円球と半楕円球の開口に連続して設けられる円筒とで構成され、半楕円球の略焦点に光源を配置するので、光源部からの光を集光手段がより効率よく集めることができる。
【００２４】
本発明の請求項８に記載の医療用照明装置は、アパーチャが、集光部のビームウエスト近傍に配置されているので、光源からの光を効率よく制限し、光源の不均一性の影響を少なくして均一光にすることができる。
【００２５】
本発明の請求項９に記載の医療用照明装置は、アパーチャが略矩形状であるので、口腔等の患部を照明するのに適している。
【発明を実施するための最良の形態】
【００２６】
実施の形態１
（装置の概略）
図１に、本実施の形態に係る医療用照明装置の概略図を示す。図１に示す医療用照明装置は、可動自在な可動アーム１に、光源となる光学部品を保持する筒体２を固定する枠体３が設けられている。図１に示す筒体２には、光学部品の１つである結像レンズ４が保持されている様子が示されている。また、枠体３には、医療用照明装置の操作者が容易に可動できるように取っ手５が設けられている。
【００２７】
図１に示す医療用照明装置は、例えば歯科用に用いる場合、歯科診療台（図示せず）の側部に設置され、歯科診療台上の患者の口腔内（患部）を照射するために用いる。なお、以下の説明では、主として歯科用に用い医療用照明装置として説明するが、本発明に係る医療用照明装置は歯科用に限定されず、耳鼻科等の他の医療分野にも適用することができる。
【００２８】
（装置の光学構成）
次に、本実施の形態に係る医療用照明装置の光学構成について説明する。まず、図２に、本実施の形態に係る筒体２の断面図を示す。図２に示す筒体２には、一方の端に光源となる発光素子６が複数設けられている。発光素子６は、図２のＡ−Ａ面での断面図である図３に示すように、環状に８個、中心に１個配置されている。この発光素子６にはＬＥＤ（発光ダイオード）を用いるが、本発明はこれに限られずハロゲン球、クリプトン球及び半導体レーザ等を発光素子６に用いても良い。また、発光素子６の配置及び個数も、図３に示す配置に限定されず、患部において必要とされる照度が得られる配置及び個数を適宜選択すれば良い。
【００２９】
図２に示す筒体２には、各発光素子６の発光面にコリメートレンズ７が設けられている。コリメートレンズ７は、図２に示すように各発光素子６から物理的に分離されていても、発光素子６と一体成形されていても良い。さらに、図２に示す筒体２には、コリメートレンズ７から所定の距離離れた位置にコンデンサーレンズやフレネルレンズを使用した集光レンズ８が設けられている。図２に示す集光レンズ８は、筒体２の内部に集光レンズ押え８１によって固定されており、発光素子６側が凸形状の平凸レンズであるが、本発明はこれに限られず、所望の集光光が得られるのであれば両凸レンズでも良い。また、図２に示す集光レンズ８は、１枚のレンズで構成しているが、本発明はこれに限られず、複数枚のレンズを組み合わせても良い。なお、コリメートレンズ７及び集光レンズ８が、本実施の形態での集光部を構成している。但し、平行光を発する発光素子６（例えば、発光面にコリメートレンズがモールドされたＬＥＤ等）を用いる場合は、集光レンズ８のみが集光部を構成する。
【００３０】
また、集光部で集光された光を患部で結像させる結像部である結像レンズ４を、図２に示す筒体２の他方の端に設けている。図２に示す結像レンズ４は、両凸レンズであるが、本発明はこれに限られず、平凸レンズでも良い。また、図２に示す結像レンズ４は、１枚のレンズで構成しているが、本発明はこれに限られず、複数枚のレンズを組み合わせても良い。
【００３１】
筒体２内部の上記結像レンズ４と集光レンズ８との間には、図２に示すようにアパーチャ９が設けられており、集光レンズ押え８１とアパーチャ押え９１によって固定されている。アパーチャ９には、図４に示すように矩形状の開口部１０が設けられている。開口部１０の形状は、患部を照明する形状等を考慮して決定されるので、必ずしも矩形状に限定されない。なお、歯科用の医療用照明装置としては、患部である口腔よりも少し広い範囲（８０×１５０ｍｍ程度）を照明範囲としている。また、アパーチャ９は、金属板に開口部１０を形成することでできるが、開口部１０の形状を可変できるようにメカニカルな機構を設けることや、液晶のアパーチャを採用することもできる。また、アパーチャ９自体を種々の開口部１０形状を有するものに交換可能にしてもよい。
【００３２】
本実施の形態では、結像レンズ４及びアパーチャ９の位置は移動させることが可能であり、図２には記載していないが、筒体２に結像レンズ４及びアパーチャ９の移動手段を設けても良い。なお、結像レンズ４から患部までの距離は、４００〜９００ｍｍ程度であり、操作者が患部を治療するため等の作業スペースを十分確保している。
【００３３】
（装置の光学特性）
次に、図５に示す本実施の形態に係る医療用照明装置の模式図を用いて装置の光学特性について説明する。まず、筒体２の一方の端に設けられた発光素子６から発した光は、コリメートレンズ７により略平行光になる。本実施の形態に係る医療用照明装置では、図３に示すように９個のＬＥＤが発光素子６として設けられており、発光素子６から光がそれぞれコリメートレンズ７により略平行光になる。一般的にはＬＥＤを高密度に並べると７個が最適である。
【００３４】
略平行光になった発光素子６から光は、図５に示すように集光レンズ８で所定の位置に集光させられる。つまり、本実施の形態に係る医療用照明装置では、光源である発光素子６からの光を所定の位置で集光させるために、コリメートレンズ７でそれぞれ一旦略平行光を作り、それにより一つの集光レンズ８で共有した焦点に集光させている。
【００３５】
次に、集光レンズ８で集光された光は、アパーチャ９で開口部１０を通過する光以外が遮光される。アパーチャ９の位置は、集光レンズ８のビームウエスト近傍に配置することが望ましい。これは、複数の発光素子６からなる光源の光を効率よく制御し、不均一性の影響を少なくして、光を均一にするためである。ビームウエストとは、集光レンズにより集光された照射光の径が最小となる位置であり、照射光が必ずしも一点で集光しない時は、焦点位置とほぼ同じ意味で使われる。
【００３６】
アパーチャ９の開口部１０は、図４に示したように矩形であり、このアパーチャ９を通過した光が結像レンズ４を介して患部に照射される。つまり、本実施の形態に係る医療用照明装置では、アパーチャ９に形成された矩形状の光の像が、結像レンズ４により患部で結像する。なお、歯科用に本実施の形態に係る医療用照明装置を用いる場合、照明される患部の範囲が８０×１５０ｍｍ程度で、結像レンズ４から患部までの距離が４００〜９００ｍｍ程度になるように、アパーチャ９の開口部１０の大きさ、結像レンズ４の光学特性及びアパーチャ９と結像レンズ４との距離が決められる。
【００３７】
以上のように、本実施の形態に係る医療用照明装置では、光源である発光素子６から照射された光を集光部（コリメートレンズ７及び集光レンズ８）で集光させ、アパーチャ９を介して結像部（結像レンズ４）により患部に結像させるので、発光素子６から光を効率的に集めて患部を照明することができる。つまり、本実施の形態に係る医療用照明装置では、発光素子の数を抑えつつ患部のみを所定の照度で照明することができ、コストを低減できる。さらに、本実施の形態に係る医療用照明装置では、結像系の光学構成を利用しているので、患部近傍に操作者の作業スペースを確保しつつ、患部のみを所定の照度で照明することが可能となる。
【００３８】
なお、本実施の形態に係る医療用照明装置の筒体２の断面形状は円形状であるとして説明してきたが、本発明はこれに限られず、筒体２の断面形状が矩形状等の他の形状であっても良い。
【００３９】
（応用例）
本実施の形態に係る医療用照明装置の応用例として、発光素子６にＬＥＤを使用する場合、白色のＬＥＤと４００±２０ｎｍの波長のＬＥＤとを組み込んで、両者を切り換えて点灯することが可能なように構成する。歯科の診断において、４００±２０ｎｍの波長の光を口腔内に照射すると、歯石や歯垢が付着している部分が赤色の蛍光を発することが知られている。また、４００±２０ｎｍの波長の光を口腔内に照射すると、う蝕部分の診断にとって有用な画像を得ることもできるので病変部の検出が容易になることも知られている。そのため、本実施の形態に係る医療用照明装置の応用例として、４００±２０ｎｍの波長のＬＥＤをさらに組み込むことで、患部を照明する機能に加えて、４００±２０ｎｍの波長の光で歯科診断を行うことも可能となる。
【００４０】
また、本実施の形態に係る医療用照明装置の別の応用例として、発光素子６にＬＥＤを使用する場合、白色のＬＥＤと４７０±２０ｎｍの波長のＬＥＤとを組み込んで、両者を切り換えて点灯することが可能なように構成する。歯科の治療において、４７０±２０ｎｍの波長の光は患部のレジンを光重合させるために用いている。そのため、本実施の形態に係る医療用照明装置の別の応用例として、４７０±２０ｎｍの波長のＬＥＤをさらに組み込むことで、患部を照明する機能に加えて、４７０±２０ｎｍの波長の光でレジンの重合などの歯科治療を行うことも可能となる。
【００４１】
また、本実施の形態に係る医療用照明装置の別の応用例として、発光素子６にＬＥＤを使用する場合、白色のＬＥＤと４０５±２０ｎｍの波長のＬＥＤとを組み込んで、両者を切り換えて点灯又は同時点灯することが可能なように構成する。歯科分野において、４０５±２０ｎｍの波長の光は歯の漂白にも利用されている。そのため、本実施の形態に係る医療用照明装置の別の応用例として、４０５±２０ｎｍの波長のＬＥＤをさらに組み込むことで、患部を照明する機能に加えて、４０５±２０ｎｍの波長の光で歯の漂白を行うことも可能となる。また４０５±２０ｎｍの波長の光はう蝕あるいは、歯石、歯垢より蛍光を励起させる作用があるので、病変の診断にも利用可能である。
【００４２】
実施の形態２
（装置の概略）
本実施の形態に係る医療用照明装置の構成は、筒体２の光学構成が異なる以外は実施の形態１と同じであるため、図１に示す概略図と同じになる。従って、詳細な説明を省略する。
【００４３】
（装置の光学構成）
次に、本実施の形態に係る医療用照明装置の光学構成について説明する。まず、図６に、本実施の形態に係る筒体２の断面図を示す。図６に示す筒体２には、一方の端に光源となる発光素子６が複数設けられている。発光素子６は、図６のＢ−Ｂ面での断面図である図７に示すように、環状に８個、中心に１個配置されている。この発光素子６にはＬＥＤを用いるが、本発明はこれに限られずハロゲン球、クリプトン球及び半導体レーザ等を発光素子６に用いても良い。また、発光素子６の配置及び個数も、図７に示す配置に限定されず、患部において必要とされる照度が得られる配置及び個数を適宜選択すれば良い。
【００４４】
図６に示す筒体２では、実施の形態１の図２で示したコリメートレンズ７の代わりに反射筐体１１が設けられている。この反射筐体１１は、図８に示すように放物面等の非球面鏡１２の部分と円筒鏡１３の部分とが連続する形状であり、発光素子６の照射方向に開口部を有している。より望ましい反射筐体１１の形状は、非球面鏡１２が半楕円球で、且つ円筒鏡１３が半楕円球の開口に連続して設けられる円筒である。なお、反射筐体１１が半楕円球と円筒とで構成される場合、発光素子６は半楕円球の円筒鏡１３の略焦点に配置される。また、本発明に係る反射筐体１１の形状は必ずしも円筒鏡１３の部分を有している必要はなく、発光素子６（光源）の照射方向に開口部を有し、内部に配置した発光素子６（光源）からの光を反射して開口部から出射する構成であれば良い。
【００４５】
さらに、図６に示す筒体２には、コンデンサーレンズやフレネルレンズを使用した集光レンズ８が反射筐体１１の開口部に設けられている。図６に示す集光レンズ８は、発光素子６側が凸形状の平凸レンズであるが、本発明はこれに限られず、所望の集光光が得られるのであれば両凸レンズでも良い。また、図６に示す集光レンズ８は、１枚のレンズで構成しているが、本発明はこれに限られず、複数枚のレンズを組み合わせても良い。なお、反射筐体１１及び集光レンズ８が、本実施の形態での集光部を構成している。
【００４６】
また、実施の形態１と同様、集光部で集光された光を患部で結像させる結像部である結像レンズ４を、図６に示す筒体２の他方の端に設けている。図６に示す結像レンズ４は、両凸レンズであるが、本発明はこれに限られず、平凸レンズでも良い。また、図６に示す結像レンズ４は、１枚のレンズで構成しているが、本発明はこれに限られず、複数枚のレンズを組み合わせても良い。
【００４７】
この結像レンズ４と集光レンズ８との間には、実施の形態１と同様、図６に示すようにアパーチャ９が設けられている。アパーチャ９には、実施の形態１の図４に示すように矩形状の開口部１０が設けられている。開口部１０の形状は、患部を照明する形状等を考慮して決定されるので、必ずしも矩形状に限られない。なお、歯科用の医療用照明装置としては、患部である口腔よりも少し広い範囲（８０×１５０ｍｍ程度）を照明範囲としている。また、アパーチャ９は、金属板に開口部１０を形成することでできるが、開口部１０の形状を可変できるようにメカニカルな機構を設けることや、液晶のアパーチャを採用することもできる。
【００４８】
本実施の形態でも、実施の形態１と同様、結像レンズ４及びアパーチャ９の位置は移動させることが可能であり、図６には記載していないが、筒体２に結像レンズ４及びアパーチャ９の移動手段を設けても良い。なお、結像レンズ４から患部までの距離は、４００〜９００ｍｍ程度であり、操作者が患部を治療するため等の作業スペースを十分確保している。
【００４９】
（装置の光学特性）
次に、図９に示す本実施の形態に係る医療用照明装置の模式図を用いて装置の光学特性について説明する。まず、筒体２の一方の端に設けられた発光素子６から発した光は、反射筐体１１で反射される。本実施の形態に係る医療用照明装置では、図７に示す９個のＬＥＤの発光素子６が半楕円球である反射筐体１１（円筒鏡１３）の略焦点に設けられる。そのため、発光素子６から出た光は、反射筐体１１で反射され、反射筐体１１（円筒鏡１３）を楕円球とした場合の焦点近傍の位置から出射される。
【００５０】
図９に示す集光レンズ８は、反射筐体１１（円筒鏡１３）を楕円球とした場合の焦点近傍の位置に設けられ、発光素子６から光を所定の位置に集光させる。つまり、本実施の形態に係る医療用照明装置では、コリメートレンズ７及び集光レンズ８に代えて、光源から照射された光を反射筐体１１及び集光レンズ８で集光させている。
【００５１】
次に、集光レンズ８で集光された光は、アパーチャ９で開口部１０を通過する光以外が遮光される。アパーチャ９の位置は、集光レンズ８によって集光されたビームウエスト近傍に配置することが望ましい。これは、複数の発光素子６からなる光源の不均一性の影響を少なくして、光を均一にするためである。
【００５２】
アパーチャ９の開口部１０は、実施の形態１の図４に示したように矩形であり、このアパーチャ９を通過した光が結像レンズ４を介して患部に照射される。つまり、本実施の形態に係る医療用照明装置でも、集光レンズ８以降の光学構成は実施の形態１と同じであるため、アパーチャ９に形成された矩形状の光の像が、結像レンズ４により患部で結像する。なお、歯科用に本実施の形態に係る医療用照明装置を用いる場合、照明される患部の範囲が８０×１５０ｍｍ程度で、結像レンズ４から患部までの距離が４００〜９００ｍｍ程度になるように、アパーチャ９の開口部１０の大きさ、結像レンズ４の光学特性及びアパーチャ９と結像レンズ４との距離が決められる。
【００５３】
以上のように、本実施の形態に係る医療用照明装置では、光源である発光素子６から照射された光を集光部（反射筐体１１及び集光レンズ８）で集光させ、アパーチャ９を介して結像部（結像レンズ４）により患部に結像させるので、発光素子６から光を効率的に集めて患部を照明することができる。つまり、本実施の形態に係る医療用照明装置では、発光素子の数を抑えつつ患部のみを所定の照度で照明することができ、コストを低減できる。さらに、本実施の形態に係る医療用照明装置では、結像系の光学構成を利用しているので、患部近傍に操作者の作業スペースを確保しつつ、患部のみを所定の照度で照明することが可能となる。
【００５４】
なお、本実施の形態に係る医療用照明装置の筒体２の断面形状は円形状であるとして説明してきたが、本発明はこれに限られず、筒体２の断面形状が矩形状等の他の形状であっても良い。筒体２の断面形状が矩形状の場合、反射筐体１１は、対向する１組の面にのみ非球面鏡１２を形成しても、全ての面に非球面鏡１２を形成しても良い。
【００５５】
（応用例）
本実施の形態に係る医療用照明装置に対しても、実施の形態１で示した応用例を採用することができる。なお、本実施の形態に係る医療用照明装置の応用例の構成も実施の形態１で示した応用例の構成と同じであるため詳細な説明は省略する。
【図面の簡単な説明】
【００５６】
【図１】本発明の実施の形態１に係る医療用照明装置の概略図である。
【図２】本発明の実施の形態１に係る医療用照明装置の断面図である。
【図３】本発明の実施の形態１に係る医療用照明装置の光源の概略図である。
【図４】本発明の実施の形態１に係る医療用照明装置のアパーチャの概略図である。
【図５】本発明の実施の形態１に係る医療用照明装置の光学特性を説明するための模式図である。
【図６】本発明の実施の形態２に係る医療用照明装置の断面図である。
【図７】本発明の実施の形態２に係る医療用照明装置の光源の概略図である。
【図８】本発明の実施の形態２に係る医療用照明装置の反射筐体の概略図である。
【図９】本発明の実施の形態２に係る医療用照明装置の光学特性を説明するための模式図である。
【符号の説明】
【００５７】
１  可動アーム、２  筒体、３  枠体、４  結像レンズ、５  取っ手、６  発光素子、７  コリメートレンズ、８  集光レンズ、９  アパーチャ、１０  開口部、１１  反射筐体、１２  非球面鏡、１３  円筒鏡、８１  集光レンズ押え、９１  アパーチャ押え。
【図１】
2008228770.tif 000003
【図２】
2008228770.tif 000004
【図３】
2008228770.tif 000005
【図４】
2008228770.tif 000006
【図５】
2008228770.tif 000007
【図６】
2008228770.tif 000008
【図７】
2008228770.tif 000009
【図８】
2008228770.tif 000010
【図９】
2008228770.tif 000011